(57)【特許請求の範囲】
【請求項１】
円筒状ホルダーに、一対の極性マグネット、スペーサ、および前記スペーサと対向する側にバネ部を有するロックリングが順次装着されたコンバージェンス装置であって、
前記ロックリングが前記円筒状ホルダーにねじ込まれることよって前記極性マグネットおよび前記スペーサが締め付けられるとともに、前記ロックリングの締め付け量を調節することによって前記極性マグネットおよび前記スペーサの締め付けがゆるめられるコンバージェンス装置。
【請求項２】
水平偏向コイルと、この水平偏向コイルの外側に設けられたセパレータ部と、このセパレータ部の外側に設けられた垂直偏向コイルとを備え、前記セパレータ部の円筒状ホルダー部に、一対の極性マグネット、スペーサ、およびこのスペーサと対向する側にバネ部を有するロックリングが順次装着された偏向ヨークであって、
前記ロックリングが前記円筒状ホルダーにねじ込まれることよって前記極性マグネットおよび前記スペーサが締め付けられるとともに、前記ロックリングの締め付け量を調節することによって前記極性マグネットおよび前記スペーサの締め付けがゆるめられる偏向ヨーク。
【請求項３】
ガラスパネルと、このガラスパネルの後部に接続されたガラスファンネル部と、このガラスファンネル部の後部のネック部内に設けられた電子銃とを備えたガラスバルブと、このガラスバルブの後部外周に配置された偏向ヨークと、この偏向ヨークの後方、かつ、前記ガラスバルブの外周に配置された請求項１記載のコンバージェンス装置とを備えたカラー陰極線管装置。
【請求項４】
ガラスパネルと、このガラスパネルの後部に接続されたガラスファンネル部と、このガラスファンネル部の後部のネック部内に設けられた電子銃とを備えたガラスバルブと、このガラスバルブの後部外周に配置された請求項２記載の偏向ヨークとを備えたカラー陰極線管装置。
【請求項５】
一対の極性マグネットの代わりに、一対の６極マグネットと、一対の４極マグネットと、一対の２極マグネットと、前記各マグネットの間に設けたスペーサとを有する請求項１記載のコンバージェンス装置。
【請求項６】
一対の極性マグネットの代わりに、一対の６極マグネットと、一対の４極マグネットと、一対の２極マグネットと、前記各マグネットの間に設けたスペーサとを有する請求項２記載の偏向ヨーク。
【請求項７】
一対の極性マグネットの代わりに、一対の６極マグネットと、一対の４極マグネットと、一対の２極マグネットと、前記各マグネットの間に設けたスペーサとを有する請求項３または４記載のカラー陰極線管装置。
【発明の詳細な説明】
【０００１】
【発明の属する技術分野】
本発明は、コンバージェンス装置と偏向ヨーク、およびカラー陰極線管に関する。
【０００２】
【従来の技術】
セルフコンバーゼンス方式のカラー陰極線管において、ネック部に封止されたインライン方式の電子銃から射出される三本の電子ビームは、スクリーン蛍光面の一点で集中するように構成されている。電子ビームをスクリーン蛍光面全体に衝突させるため、偏向ヨークの発生する偏向磁界により、それぞれの電子ビームを偏向させて三本の電子ビームをそれぞれ対応する蛍光体に衝突させている。しかし、実際には電子銃の製造上のバラツキや、電子銃をネック部に封止する際に管軸からのズレが生じるために、三本の電子ビームが蛍光面の一点で集中しなかったり、各電子ビームが対応する蛍光体に衝突しなかったりして、コンバージェンス特性が低下したり、色ズレが生じたりする。これらのバラツキを補正するために、一対以上の極性マグネットを配置してコンバージェンス装置を構成し、コンバージェンス装置をカラー陰極線管のネック部に装着している。このコンバージェンス装置を精密かつ正確に調整した後、カラー陰極線管を工場から出荷している。仕向け地は国内および海外に及び、特に国内でコンバージェンス装置を装着し調整したカラー陰極線管を海外でカラー受像機に組み込む場合には、地磁気の影響が国内と海外では異なるため、コンバージェンス特性が低下したり、色ズレが生じたりすることがある。このような場合には、カラー陰極線管をカラー受像機に組み込む際に、コンバージェンス装置を再調整する必要が生じる。
【０００３】
図９はコンバージェンス装置の第１の従来例を示す側面図である。図９において、円筒状ホルダー１１に、一対の２極マグネット６、一対の４極マグネット７および一対の６極マグネット８を、リング状のスペーサ９を介在させて装着し、合計６枚のリング状の極性マグネットを回転可能に組み込んだ構成である。スペーサ９の正面図を図７に、側面図を図８にそれぞれ示す。スペーサ９には凸部９ａが設けられており、この凸部９ａが円筒状ホルダー１１に設けられた凹部（図示せず）とかみ合うので、スペーサ９は回転しないようになっている。このような構成のコンバージェンス装置は、各マグネット間にスペーサ９を介在させて支持し、両端に位置する２極マグネット６と６極マグネット８とを、円筒状ホルダー１１とロックリング１４で係止し、ロックリング１４を管軸方向に締め付けることによってマグネットの回転を防止しながら各マグネットを保持し、さらにゆるみを防止するために、２極マグネット６、４極マグネット７、６極マグネット８、スペーサ９、およびロックリング１４を接着剤で固定している。ロックリング１４の正面図を図１０に、側面図を図１１にそれぞれ示す。
【０００４】
図１２はコンバージェンス装置の第２の従来例を示す側面図である。図１２において、円筒状ホルダー１１に、一対の２極マグネット６、一対の４極マグネット７、および一対の６極マグネット８を、リング状のバネ式スペーサ１３を介在させて装着し、合計６枚のリング状の極性マグネットを回転可能に組み込んだ構成である。バネ式スペーサ１３の正面図を図１３に、側面図を図１４にそれぞれ示す。バネ式スペーサ１３はバネ部１３ａを有している。このような構成のコンバージェンス装置は、各マグネット間にバネ部１３ａを有するバネ式スペーサ１３を介在させて支持し、両端に位置するマグネットを円筒状ホルダー１１で係止し挟持することによって、マグネット６，７，８の回転を防止しながら各マグネットを保持している。
【０００５】
【発明が解決しようとする課題】
しかしながら、第１の従来例において、コンバージェンス装置の再調整をする必要が生じた場合には、マグネットが接着剤で固定されているため、作業効率が著しく低下する。また、第２の従来例において、各マグネットに対する回転トルクはバネ式スペーサ１３のバネ部１３ａによって得ているため、色ズレおよびコンバージェンス特性調整後、運搬中の振動や衝撃により、マグネットが回転方向にズレてしまい色ズレが生じたり、コンバージェンス特性が著しく低下するという欠点があった。さらに、バネ式スペーサ１３のバネ部１３ａとマグネットとが接している部分にかかっている力と、それ以外のマグネットの部分にかかっている力とはかなり異なるので、高温多湿な環境下で運搬中または保管中に、マグネット６，７，８が加圧変形をおこし、マグネットの回転トルクが著しく低下し、色ズレおよびコンバージェンス特性の再調整が不可能となるという欠点があった。
【０００６】
これらの欠点を改良する案として、実開平５−３３４４９号公報にマグネットの表裏面を偏った状態で加圧し、マグネットを厚み方向に意図的に変形させ、変形後のマグネットに作用するバネ式スペーサの押圧力が低下しないようにする方法が提案されているが、変形のコントロールが難しく量産には不向きである。また、実開平６−２８９７６号公報に開示された方式においては、ロックリングタイプとノンロックリングタイプの併用が提案されているが、ホルダー形状が複雑になり、樹脂成形が困難であるという問題点がある。また、バネ式スペーサとスペーサとロックリングを用いて固定する方法においては、部品点数が増加し、高価になるという問題点がある。
【０００７】
本発明は従来技術における上記課題を解決し、高温多湿な環境下でもマグネットの回転トルクが低下せず、振動や衝撃に対してもマグネットが回転することのないコンバージェンス装置および偏向ヨークを提供することを目的とする。また、色ズレやコンバージェンス特性の再調整が容易で優れた表示品位が得られるカラー陰極線管を提供することを目的とする。
【０００８】
【課題を解決するための手段】
前記目的を達成するため、本発明に係るコンバージェンス装置は、円筒状ホルダーに、一対の極性マグネット、スペーサ、および前記スペーサと対向する側にバネ部を有するロックリングが順次装着されたコンバージェンス装置であって、前記ロックリングが前記円筒状ホルダーにねじ込まれることよって前記極性マグネットおよび前記スペーサが締め付けられるとともに、前記ロックリングの締め付け量を調節することによって前記極性マグネットおよび前記スペーサの締め付けがゆるめられる。この構成により、複雑な形状の成形が難しいホルダーを使うことなく、量産性に優れ、高温多湿な環境下でもマグネットの回転トルクが低下せず、振動や衝撃に対してもマグネットが回転することのないコンバージェンス機能を提供することができる。
【０００９】
また、本発明に係る偏向ヨークは、水平偏向コイルと、この水平偏向コイルの外側に設けられたセパレータ部と、このセパレータ部の外側に設けられた垂直偏向コイルとを備え、前記セパレータ部の円筒状ホルダー部に、一対の極性マグネット、スペーサ、およびこのスペーサと対向する側にバネ部を有するロックリングが順次装着された偏向ヨークであって、前記ロックリングが前記円筒状ホルダーにねじ込まれることよって前記極性マグネットおよび前記スペーサが締め付けられるとともに、前記ロックリングの締め付け量を調節することによって前記極性マグネットおよび前記スペーサの締め付けがゆるめられる。この構成により、部品点数を増やすことなく高温多湿な環境下でもマグネットの回転トルクが低下せず、振動や衝撃に対してもマグネットが回転することのないコンバージェンス機能を得ることができる。
【００１０】
また、本発明に係る第１のカラー陰極線管装置は、ガラスパネルと、このガラスパネルの後部に接続されたガラスファンネル部と、このガラスファンネル部の後部のネック部内に設けられた電子銃とを備えたガラスバルブと、このガラスバルブの後部外周に配置された偏向ヨークと、この偏向ヨークの後方、かつ、前記ガラスバルブの外周に配置された本発明に係るコンバージェンス装置とを備えたものである。この構成により、高温多湿な環境下でもマグネットの回転トルクが低下せず、振動や衝撃に対してもマグネットが回転することがない。
【００１１】
また、本発明に係る第２のカラー陰極線管装置は、ガラスパネルと、このガラスパネルの後部に接続されたガラスファンネル部と、このガラスファンネル部の後部のネック部内に設けられた電子銃とを備えたガラスバルブと、このガラスバルブの後部外周に配置された本発明に係る偏向ヨークとを備えたものである。この構成により、高温多湿な環境下でもマグネットの回転トルクが低下せず、振動や衝撃に対してもマグネットが回転することがない。
【００１２】
【発明の実施の形態】
以下、本発明の実施の形態について、図面を用いて説明する。
【００１３】
（実施の形態１）
図１は本発明に係るコンバージェンス装置の実施の形態を示す側面図である。
【００１４】
図１に示すように、コンバージェンス装置１２は、円筒状ホルダー１１に一対の２極マグネット６と、一対の４極マグネット７と、一対の６極マグネット８とをはめこみ、バネ式ロックリング１０を円筒状ホルダー１１にねじ込むことによって、２極マグネット６と、４極マグネット７と、６極マグネット８とを管軸方向に締め付け固定している。２極マグネット６と４極マグネット７との間、４極マグネット７と６極マグネット８との間、および、６極マグネット８とバネ式ロックリング１０との間には、リング状のスペーサ９を介在させている。このスペーサ９は、第１の従来例で示したものと同じ（図７および図８）であり、スペーサ９に設けられた凸部９ａによって、スペーサ９は回転しないようになっている。
【００１５】
バネ式ロックリング１０の正面図を図５に、側面図を図６にそれぞれ示す。従来のロックリングと異なる点は、バネ部１０ａを有していることである。バネ式ロックリング１０はバネ部１０ａを有しているので、ロックリングの締め付け量を調整することにより、マグネットの回転トルクを０〜３ｋｇ・ｃｍ間で任意に変えることができる。
【００１６】
このコンバージェンス装置をカラー陰極線管に装着したカラー陰極線管装置を図２に示す。カラー陰極線管は、ガラスパネル１６と、ガラスパネル１６の後部に接続されたガラスファンネル部１７と、ガラスファンネル部１７の後部のネック部１８の内側に設けられた電子銃１９とを備えたガラスバルブ２０より構成されている。このガラスバルブ２０の後部外周には偏向ヨーク２１が設けられている。偏向ヨーク２１は、サドル型水平偏向コイル（図示せず）と、このサドル型水平偏向コイルの外側に設けられたセパレータ部２と、セパレータ部２の外側に設けられたサドル型垂直偏向コイル４と、サドル型垂直偏向コイル４の外側に設けられたコア５とを備えている。偏向ヨーク２１の後方にコンバージェンス装置１２を備えており、カラー陰極線管装置を構成している。
【００１７】
カラー陰極線管にコンバージェンス装置１２を装着した後、コンバージェンス特性や色ズレを補正するために、２極マグネット６、４極マグネット７、および６極マグネット８を回転させて調整する。調整終了後、バネ式ロックリング１０をねじ込み、２極マグネット６、４極マグネット７、および６極マグネット８を管軸方向に締め付け固定し、工場から出荷する。２極マグネット６、４極マグネット７、および６極マグネット８の回転トルクが１〜３ｋｇ・ｃｍ程度になるように、バネ式ロックリング１０を締め付けておく。これによって、カラー陰極線管装置の運搬中や衝撃により、マグネットが回転方向にずれることがなく、色ズレやコンバージェンス特性の劣化が生じることはない。
【００１８】
仕向け地によっては、マグネットを再調整する必要があるが、この場合、第１の従来例のようにマグネットの固定には接着剤を使用していないので、バネ式ロックリング１０をゆるめるだけで調整が可能である。管軸方向の締め付けをゆるめてマグネットの回転トルクを低下させる場合、第１の従来例のロックリング１４に比べて、バネ式ロックリング１０の方が回転させる量が大きい。すなわち、バネ式ロックリング１０の方が、マグネットの回転トルクの調整が容易であり、色ズレやコンバージェンス特性の微調整が可能である。
【００１９】
また、第２の従来例のように、バネ式スペーサを用いていないので、高温多湿な環境下で運搬中または保管中に、マグネットが加圧変形することはない。さらに、ホルダー形状や部品点数は従来と変わらない。
【００２０】
また、バネ式ロックリング１０と６極マグネット８との間にリング状スペーサ９を介在させることにより、ロックリング調整時にマグネットが同時に回転することを防止できる。
【００２１】
（実施の形態２）
図３は本発明に係る偏向ヨークの実施の形態を示す側面図である。
【００２２】
図３に示すように、サドル型水平偏向コイル１と、サドル型水平偏向コイル１の外側に設けられたセパレータ部２と、セパレータ部２の外側に設けられたサドル型垂直偏向コイル４と、サドル型垂直偏向コイル４の外側に設けられたコア５とを有している。さらに、セパレータ部２の一部分である円筒状ホルダー部３に、一対の４極マグネット７と、一対の２極マグネット６と、一対の６極マグネット８と、一対の４極マグネット７とをはめ込み、バネ式ロックリング１０をねじ込むことによって、４極マグネット７と、２極マグネット６と、６極マグネット８と、４極マグネット７とを管軸方向に締め付け固定している。４極マグネット７と２極マグネット６との間、２極マグネット６と６極マグネット８との間、６極マグネット８と４極マグネット７との間、および、４極マグネット７とバネ式ロックリング１０との間には、リング状のスペーサ９を介在させている。このスペーサ９は、第１の従来例で示したものと同じ（図７および図８）であり、スペーサ９に設けられた凸部９ａによって、スペーサ９は回転しないようになっている。また、バネ式ロックリング１０は実施の形態１で用いたものと同じである。
【００２３】
この偏向ヨークをカラー陰極線管に装着したカラー陰極線管装置を図４に示す。カラー陰極線管は、ガラスパネル１６と、ガラスパネル１６の後部に接続されたガラスファンネル部１７と、ガラスファンネル部１７の後部のネック部１８の内側に設けられた電子銃１９とを備えたガラスバルブ２０より構成されている。このガラスバルブ２０の後部外周には図３に示した偏向ヨークが設けられており、カラー陰極線管装置を構成している。
【００２４】
カラー陰極線管に偏向ヨークを装着した後、コンバージェンス特性や色ズレを補正するために、２極マグネット６、４極マグネット７、および６極マグネット８を回転させて調整する。調整終了後、バネ式ロックリング１０をねじ込み、２極マグネット６、４極マグネット７、および６極マグネット８を管軸方向に締め付け固定し、工場から出荷する。２極マグネット６、４極マグネット７、および６極マグネット８の回転トルクが１〜３ｋｇ・ｃｍ程度になるように、バネ式ロックリング１０を締め付けておく。この実施の形態においても、上記実施の形態１と同様の効果を有する。
【００２５】
また、バネ式ロックリング１０と４極マグネット７との間にリング状のスペーサ９を介在させることにより、ロックリング調整時にマグネットが同時に回転することを防止できる。さらに、偏向コイルとコンバージェンス装置とを一体とした偏向ヨークとしているので、偏向コイルとコンバージェンス装置との軸が揃いやすい。
【００２６】
上記の実施の形態では、サドル型偏向コイルを例にして説明したが、これに限るものではなく、トロイダル型偏向コイルについても同様の効果を得ることができる。
【００２７】
【発明の効果】
以上説明したように、本発明はロックリングにバネ構造を有することにより、量産性に優れ、高温多湿な環境下でもマグネットの回転トルクが低下せず、振動や衝撃に対してもマグネットが回転することのないコンバージェンス機能を備えたカラー陰極線管装置の偏向ヨーク、およびコンバージェンス装置を提供することができる。また、色ズレやコンバージェンス特性の再調整が容易で優れた表示品位が得られるカラー陰極線管装置を提供することができる。
【図面の簡単な説明】
【図１】本発明に係るコンバージェンス装置の側面図
【図２】本発明に係る第１のカラー陰極線管装置の側面図
【図３】本発明に係る偏向ヨークの部分断面図
【図４】本発明に係る第２のカラー陰極線管装置の側面図
【図５】本発明のバネ式ロックリングの正面図
【図６】本発明のバネ式ロックリングの側面図
【図７】スペーサの正面図
【図８】スペーサの側面図
【図９】従来のコンバージェンス装置の側面図
【図１０】従来のロックリングの正面図
【図１１】従来のロックリングの側面図
【図１２】従来の他の例のコンバージェンス装置の側面図
【図１３】従来のバネ式スペーサの正面図
【図１４】従来のバネ式スペーサの側面図
【符号の説明】
１  サドル型水平偏向コイル
２  セパレータ部
３  円筒状ホルダー部
４  サドル型垂直偏向コイル
５  コア
６  ２極マグネット
７  ４極マグネット
８  ６極マグネット
９  スペーサ
１０  バネ式ロックリング
１１  円筒状ホルダー
１２  コンバージェンス装置
１３  バネ式スペーサ
１４  ロックリング
１５  締めつけ金具
１６  ガラスパネル
１７  ガラスファンネル部
１８  ネック部
１９  電子銃
２０  ガラスバルブ
２１  偏向ヨーク
【図１】
0003726392.tif 000002
【図２】
0003726392.tif 000003
【図３】
0003726392.tif 000004
【図４】
0003726392.tif 000005
【図５】
0003726392.tif 000006
【図６】
0003726392.tif 000007
【図７】
0003726392.tif 000008
【図８】
0003726392.tif 000009
【図９】
0003726392.tif 000010
【図１０】
0003726392.tif 000011
【図１１】
0003726392.tif 000012
【図１２】
0003726392.tif 000013
【図１３】
0003726392.tif 000014
【図１４】
0003726392.tif 000015